(57)【要約】      （修正有）【課題】エア同伴不良と回り込み不良の両方を同時に解消することができる光学フィルムの製造方法及び洗浄装置を提供する。【解決手段】フィルム１２を鹸化する鹸化工程と、付着したアルカリ溶液１３を除去する除去工程と、光学機能層を製膜する製膜工程とを備え、除去工程では、円筒状のバー３０と、フィルムのアルカリ溶液塗布面に対向して配置されたリップ面３９を有するリップ部３８とを備えた洗浄装置を用い、第１洗浄液が形成するビードが切れず、ビードにエアが巻き込まれるエア同伴が発生せず、第１洗浄液が、フィルムの面のうちアルカリ溶液塗布面とは反対側の面に回り込む裏回りが発生しないように、リップ長さと、リップ角度と、リップクリアランスとを調整して、アルカリ溶液を除去する光学フィルムの製造方法。【選択図】図２
2013083824.tif 000002
【特許請求の範囲】
【請求項１】
フィルムの表面にアルカリ溶液を塗布することによって前記フィルムを鹸化する鹸化工程と、
前記鹸化工程の後、前記フィルムの面のうち前記アルカリ溶液が塗布された面であるアルカリ溶液塗布面に付着したアルカリ溶液を、前記フィルムを走行させながら除去する除去工程と、
前記アルカリ溶液が除去された前記アルカリ溶液塗布面に光学機能層を製膜する製膜工程とを備え、
前記除去工程では、
前記アルカリ溶液塗布面に付着したアルカリ溶液を掻き取るための円筒状のバーと、
前記バーよりもフィルムの走行方向上流側に配置された、前記アルカリ溶液を洗浄するための第１洗浄液を吐出するための吐出口と、
前記吐出口よりもフィルムの走行方向上流側に配置された、前記フィルムのアルカリ溶液塗布面に対向して配置されたリップ面を有するリップ部とを備えた洗浄装置を用い、
前記第１洗浄液が形成するビードが切れず、
前記ビードにエアが巻き込まれるエア同伴が発生せず、
前記第１洗浄液が、前記フィルムの面のうち前記アルカリ溶液塗布面とは反対側の面に回り込む裏回りが発生しないように、
前記フィルムの走行方向の前記リップ面の長さであるリップ長さと、
前記リップ面と水平方向とのなす角度であるリップ角度と、
前記リップ面と前記フィルムとのクリアランスであるリップクリアランスとを調整して、
前記吐出口から前記第１洗浄液を前記フィルムのアルカリ溶液塗布面に吐出し、前記バーによって前記アルカリ溶液塗布面に付着しているアルカリ溶液を除去する光学フィルムの製造方法。
【請求項２】
前記洗浄装置よりもフィルムの走行方向の上流側で、前記アルカリ溶液塗布面に第２洗浄液を塗布する第２洗浄液塗布工程を更に備える請求項１に記載の光学フィルムの製造方法。
【請求項３】
フィルムの表面に塗布されたアルカリ溶液を、フィルムを走行させながら洗浄除去する洗浄装置であって、
前記フィルムの面のうち前記アルカリ溶液が塗布された面であるアルカリ溶液塗布面に付着したアルカリ溶液を掻き取るための円筒状のバーと、
前記バーよりもフィルムの走行方向上流側に配置された、前記アルカリ溶液を洗浄するための第１洗浄液を吐出するための吐出口と、
前記吐出口よりもフィルムの走行方向上流側に配置された、前記フィルムのアルカリ溶液塗布面に対向して配置されたリップ面を有するリップ部とを備え、
前記第１洗浄液が形成するビードが切れず、
前記ビードにエアが巻き込まれるエア同伴が発生せず、
前記第１洗浄液が、前記フィルムの面のうち前記アルカリ溶液塗布面とは反対側の面に回り込む裏回りが発生しないように、
前記フィルムの走行方向の前記リップ面の長さであるリップ長さと、
前記リップ面と水平方向とのなす角度であるリップ角度と、
前記リップ面と前記フィルムとのクリアランスであるリップクリアランスとが調整されている洗浄装置。
【請求項４】
前記リップ部よりもフィルムの走行方向の上流側で、前記アルカリ溶液塗布面に第２洗浄液を塗布するためのノズルを更に備える請求項３に記載の洗浄装置。
【発明の詳細な説明】
【技術分野】
【０００１】
本発明は、光学補償フィルム等の光学フィルムの製造方法及びそれに用いられる洗浄装置に関し、特にフィルムを洗浄する工程を含む光学フィルムの製造方法及びそれに用いられる洗浄装置に関する。
【背景技術】
【０００２】
従来から光学フィルムの製造において重要な工程の一つにフィルムの洗浄工程がある。洗浄により除去されるべき洗浄対象物としていろいろ存在するが、例えば、ポリマーフィルムをアルカリ鹸化するためにポリマーフィルムに塗布されたアルカリ溶液がある。
【０００３】
従来のアルカリ溶液を除去するための洗浄装置としては、例えば、図７に記載されるものがある。図７は従来の洗浄装置の概略図である。図７に示すように、従来の洗浄装置は、バー３０と、台３２と、リップ部３８と、吐出口４４とブロック４６とを備えて構成されている。
【０００４】
バー３０はフィルムからアルカリ溶液を掻き取るものであり、台３２に支持されている。リップ部３８は台３２との間に洗浄液の吐出口４４を形成し、給液口から洗浄液を吐出させアルカリ溶液に塗布する。洗浄後の洗浄液は排出口４５から排出される。
【０００５】
ポリマーフィルム１２の下面には除去対象物であるアルカリ溶液１３が塗布されており、このアルカリ溶液は洗浄液が塗布された後、バー３０によって掻き取られる。
【０００６】
しかしながら、このような従来の洗浄装置では、洗浄が十分に成されず、その後の工程においてアルカリ鹸化が進行してしまい、その後に塗布する膜に悪影響を与えるという問題があった。
【０００７】
このような問題を解決するために、特許文献１には、前記ポリマーフィルムに過剰量の前記アルカリ溶液を塗布するアルカリ溶液塗布工程と、過剰量の前記アルカリ溶液をバーコータのバーで掻き落とす掻取工程と、を含み、前記バーコータ上流部には、前記ポリマーフィルム表面のアルカリ溶液を希釈するための希釈用溶液を溜める液溜り部が形成されているとともに、前記掻取工程では、アルカリ溶液が塗布されたポリマーフィルム表面を前記希釈用溶液に浸してバーコータのバーで掻き落とすことを特徴とするアルカリ鹸化ポリマーフィルムの製造方法が提案されている。
【０００８】
これにより、鹸化処理工程における洗浄効率を上げることで搬送速度を大きくしても、十分な洗浄を行うことができ、光学補償シートの表示品質を低下させないアルカリ鹸化処理方法及び装置を提供することができるとしている。
【先行技術文献】
【特許文献】
【０００９】
【特許文献１】特開２００９−１９７１６１号公報
【発明の概要】
【発明が解決しようとする課題】
【００１０】
しかしながら、特許文献１に記載されているアルカリ鹸化ポリマーフィルムの製造方法では、洗浄時にエアを巻き込んでしまい、部分的に洗浄が不十分になるというエア同伴不良と、洗浄液がフィルムの反対側に回り込むという回り込み不良を解消することができず、特に、それらの不良の両方を同時に解消することは、全くできなかった。
【００１１】
本発明は、かかる実情に鑑み、エア同伴不良と回り込み不良の両方を同時に解消できる光学フィルムの製造方法と洗浄装置とを提供しようとするものである。
【課題を解決するための手段】
【００１２】
本発明の課題は、下記の各発明によって解決することができる。
【００１３】
即ち、本発明の光学フィルムの製造方法は、フィルムの表面にアルカリ溶液を塗布することによって前記フィルムを鹸化する鹸化工程と、前記鹸化工程の後、前記フィルムの面のうち前記アルカリ溶液が塗布された面であるアルカリ溶液塗布面に付着したアルカリ溶液を、前記フィルムを走行させながら除去する除去工程と、前記アルカリ溶液が除去された前記アルカリ溶液塗布面に光学機能層を製膜する製膜工程とを備え、前記除去工程では、前記アルカリ溶液塗布面に付着したアルカリ溶液を掻き取るための円筒状のバーと、前記バーよりもフィルムの走行方向上流側に配置された、前記アルカリ溶液を洗浄するための第１洗浄液を吐出するための吐出口と、前記吐出口よりもフィルムの走行方向上流側に配置された、前記フィルムのアルカリ溶液塗布面に対向して配置されたリップ面を有するリップ部とを備えた洗浄装置を用い、前記第１洗浄液が形成するビードが切れず、前記ビードにエアが巻き込まれるエア同伴が発生せず、前記第１洗浄液が、前記フィルムの面のうち前記アルカリ溶液塗布面とは反対側の面に回り込む裏回りが発生しないように、前記フィルムの走行方向の前記リップ面の長さであるリップ長さと、前記リップ面と水平方向とのなす角度であるリップ角度と、前記リップ面と前記フィルムとのクリアランスであるリップクリアランスとを調整して、前記吐出口から前記第１洗浄液を前記フィルムのアルカリ溶液塗布面に吐出し、前記バーによって前記アルカリ溶液塗布面に付着しているアルカリ溶液を除去することを主要な特徴にしている。
【００１４】
これにより、エア同伴不良と回り込み不良の両方を同時に解消することができる。
【００１５】
また、本発明の光学フィルムの製造方法は、前記洗浄装置よりもフィルムの走行方向の上流側で、前記アルカリ溶液塗布面に第２洗浄液を塗布する第２洗浄液塗布工程を更に備えることを主要な特徴にしている。
【００１６】
これにより、アルカリ溶液は第２洗浄液によって希釈され、更に第１洗浄液によって希釈されてかなり希薄になったところでバーによって掻き取られるので、極めて良く洗浄できる。
【００１７】
更に、本発明の洗浄装置は、フィルムの表面に塗布されたアルカリ溶液を、フィルムを走行させながら洗浄除去する洗浄装置であって、前記フィルムの面のうち前記アルカリ溶液が塗布された面であるアルカリ溶液塗布面に付着したアルカリ溶液を掻き取るための円筒状のバーと、前記バーよりもフィルムの走行方向上流側に配置された、前記アルカリ溶液を洗浄するための第１洗浄液を吐出するための吐出口と、前記吐出口よりもフィルムの走行方向上流側に配置された、前記フィルムのアルカリ溶液塗布面に対向して配置されたリップ面を有するリップ部とを備え、前記第１洗浄液が形成するビードが切れず、前記ビードにエアが巻き込まれるエア同伴が発生せず、前記第１洗浄液が、前記フィルムの面のうち前記アルカリ溶液塗布面とは反対側の面に回り込む裏回りが発生しないように、前記フィルムの走行方向の前記リップ面の長さであるリップ長さと、前記リップ面と水平方向とのなす角度であるリップ角度と、前記リップ面と前記フィルムとのクリアランスであるリップクリアランスとが調整されていることを主要な特徴にしている。
【００１８】
これにより、エア同伴不良と回り込み不良の両方を同時に解消することができる。
【００１９】
更にまた、本発明の洗浄装置は、前記リップ部よりもフィルムの走行方向の上流側で、前記アルカリ溶液塗布面に第２洗浄液を塗布するためのノズルを更に備えることを主要な特徴にしている。
【００２０】
これにより、アルカリ溶液は第２洗浄液によって希釈され、更に第１洗浄液によって希釈されてかなり希薄になったところでバーによって掻き取られるので、極めて良く洗浄できる。
【発明の効果】
【００２１】
エア同伴不良と回り込み不良の両方を同時に解消することができる。
【図面の簡単な説明】
【００２２】
【図１】アルカリ鹸化ポリマーフィルムの製造ラインを示す概略図である。
【図２】洗浄装置の概略図である。
【図３】ライン速度−リップ長さとエア同伴不良の関係を示す図である。
【図４】リップクリアランスを変動させたときのライン速度−リップ長さとエア同伴不良の関係を示す図である。
【図５】リップ角度を変動させたときのライン速度−リップ長さとエア同伴不良の関係を示す図である。
【図６】リップクリアランスを変化させたときのライン速度−粘度と裏回り不良の関係を示す図である。
【図７】従来の洗浄装置の概略図である。
【発明を実施するための形態】
【００２３】
以下、添付図面を参照しながら、本発明を実施するための形態を詳細に説明する。ここで、図中、同一の記号で示される部分は、同様の機能を有する同様の要素である。また、本明細書中で、数値範囲を“  〜  ”を用いて表す場合は、“  〜  ”で示される上限、下限の数値も数値範囲に含むものとする。
【００２４】
＜光学フィルムの製造プロセス＞
本発明に係る光学フィルムの製造プロセスの一例について説明する。光学補償シートなどの光学フィルムを製造する製造プロセスは、セルロースエステルフィルム等のポリマーフィルムをアルカリ溶液によって鹸化することによって親水化するアルカリ鹸化工程と、親水化されたポリマーフィルムに接着層や配向膜を介して偏向膜や光学異方層等の光学機能層を形成する工程とを主に備えている。アルカリ鹸化によって、ポリマーフィルム表面を親水化することで、その後の工程で良好に接着層や配向膜をポリマーフィルム表面に製膜することができる。
【００２５】
このアルカリ鹸化工程（別の言い方をすればアルカリ鹸化ポリマーフィルムの製造プロセス）について図１を参照して説明する。図１は、アルカリ鹸化ポリマーフィルムの製造ラインを示す概略図である。
【００２６】
図１に示すように、ポリマーフィルム１２は、複数のガイドロール１４によって製造ライン１０内を搬送される。ポリマーフィルム１２は、先ず、ガイドロール１４により加熱ロール１６に搬送される。加熱ロール１６は、搬送されてきたポリマーフィルム１２を室温以上に加熱する。
【００２７】
次いでポリマーフィルム１２は、アルカリ溶液塗布手段１８に搬送され。アルカリ溶液塗布手段１８は、搬送されたポリマーフィルム１２に対して連続的にアルカリ溶液を吐出する。これにより、ポリマーフィルム１２には、過剰なアルカリ溶液が塗布される。
【００２８】
ここで、アルカリ溶液塗布手段１８としては、ダイコータ、ロールコータ、バーコータが好ましく利用できる。また、アルカリ溶液を塗布し、ポリマーフィルム１２を鹸化処理したのち、アルカリ溶液をポリマーフィルム１２から容易に洗い落とすために、アルカリ溶液はポリマーフィルム１２の下面に塗布することが好ましい。
【００２９】
アルカリ溶液が塗布された後、ポリマーフィルム１２は加熱手段２０においてポリマーフィルム１２の温度を室温以上に保たれる。加熱手段２０の後にポリマーフィルム１２は、洗浄装置２４に搬送される。洗浄装置２４は、搬送されてきたポリマーフィルム１２に塗布されているアルカリ溶液の洗浄を行う。
【００３０】
＜洗浄装置の構成＞
次に、本発明に係る洗浄装置２４の構成について図２を参照して説明する。図２は、洗浄装置の概略図である。図２に示すように、本発明に係る洗浄装置２４は、ポリマーフィルム１２下面に塗布されたアルカリ溶液１３を掻き取るための円筒状のバー３０と、バー３０を支持するための台３２と、第１洗浄液３４を吐出するための吐出口３６、４４と、第１洗浄液をポリマーフィルム１２の下面になじませるビード３７を形成するためのリップ部３８とを主に備えて構成される。
【００３１】
第１洗浄液３４としては、例えば純水を使用することができる。リップ部３８は、ポリマーフィルム１２下面と所定のクリアランスで対向して配置されたリップ面３９を備えている。
【００３２】
洗浄装置２４は、リップ部３８よりもポリマーフィルム１２の搬送方向（図２の右方向が搬送方向）において上流側に第２洗浄液４０をポリマーフィルム１２下面に吐出するためのノズル４２と、第１洗浄液３４を排出するための排出口４５を形成するためのブロック４６とを更に備えても良い。
【００３３】
第２洗浄液としては、例えば、第１洗浄液と同様に純水を使用することができる。
【００３４】
＜洗浄装置の作動＞
次に、本発明に係る洗浄装置２４の作動について図２を参照して説明する。ここで、本発明の説明として、洗浄対象物としてアルカリ溶液を例にとって、アルカリ溶液を洗浄するという表現で説明を進めてゆくが、洗浄対象物をアルカリ溶液に限定するものではなく、フィルムに付着したものならば本発明は何にでも適用可能である。
【００３５】
吐出口３６から吐出された第１洗浄液３４は、リップ部３８のリップ面３９（ポリマーフィルム１２下面と対向する面）とポリマーフィルム１２の下面とで挟まれた空間を満たし、リップ面３９のポリマーフィルム１２の搬送方向上流側の端部付近でビード３７を形成する。
【００３６】
下面にアルカリ溶液が塗布されたポリマーフィルム１２は、図の矢印方向に搬送される。ポリマーフィルム１２下面のアルカリ溶液は、ビード３７に接触し、第１洗浄液３４で薄められ、バー３０で掻き取られる。掻き取られたアルカリ溶液と洗浄後の洗浄液３４は、排出口４５から排出される。
【００３７】
ここで、ノズル４２を設けた場合は、第２洗浄液はポリマーフィルム１２下面に向かってノズル４２から吐出される。ノズル４２から吐出された第２洗浄液４０は、ポリマーフィルム１２下面に塗布されているアルカリ溶液を希釈する。
【００３８】
これにより、第２洗浄液４０で希釈されたアルカリ溶液は、第１洗浄液３４で更に希釈されてバー３０によって掻き取られるので、アルカリ溶液の洗浄効率を更に向上させることができる。
【００３９】
ここで、従来の洗浄装置を使用した場合は、ノズル４２を設けることができなかった。その理由は、ノズル４２から吐出された第２洗浄液がポリマーフィルム１２下面に付着すると、その付着した第２洗浄液がビード３７に接触したとき、ビード３７を不安定にして、ビード３７の形状が崩されてしまう（ビードが切れるともいう）からである。このため、第１洗浄液３４が不均一にポリマーフィルム１２下面を覆い、洗浄ムラが発生することになる。
【００４０】
また、従来の洗浄装置では、洗浄液がポリマーフィルム１２の上面に回り込む裏回りという現象が発生したり、ビード３７内にエアが巻き込まれてエアがバー３０に搬送されるエア同伴不良が発生したりするため、洗浄不良が発生するという問題があった。
【００４１】
本発明者の鋭意研究により、リップ部３８のリップ面３９の搬送方向長さであるリップ長さ、リップ面３９とポリマーフィルム１２とのクリアランス（以下、単にリップクリアランスと称する）、リップ面３９と水平方向との角度であるリップ角度を、ポリマーフィルム１２の搬送速度であるライン速度、アルカリ溶液の粘度（以下、単に粘度と称する）に基づいて調整することにより、ノズル４２を設けて第２洗浄液を吐出してもビード３７が壊されることなく、回り込みもエア同伴も発生させず、アルカリ溶液を良好に洗浄でき、バー３０に被洗浄物を付着しないのでバー３０のメンテナンス周期を長くすることができることを発見した。ここで、本発明において被洗浄物とは、洗浄によって除去されるべき汚れを意味する。
【００４２】
＜評価＞
リップ長さ、リップクリアランス、リップ角度、粘度という装置パラメーターと、エア同伴、ビードの安定性、裏回りという不良モードとの関係について評価した。
【００４３】
（１）ライン速度−リップ長とエア同伴との関係（リップクリアランス3mm）
リップクリアランスを3mmにして、ライン速度（m/min）とリップ長（mm）とを変化させたときのエア同伴不良の発生について評価を行った。エア同伴は、搬送されるフィルムに同伴される流体（アルカリ溶液、第２洗浄液）の持つ運動エネルギが、ビード３７の持つ運動エネルギを上回ると、ビード３７の気液界面が乱れ、エアをビード内に巻き込むことにより発生する。
【００４４】
裏回りは、ビード３７内の液圧が高まると、サイドへ第１洗浄液３４が流出し、それがポリマーフィルム１２の端部からポリマーフィルム１２の上面に伝わって裏回り不良になる。
【００４５】
評価結果を図３に示す。図３は、ライン速度−リップ長さとエア同伴不良の関係を示す図である。図３に示すライン１００とライン１０２とで挟まれた領域は、リップクリアランス3mmの場合に、ビードが安定する領域であり、この領域のライン速度、リップ長さで洗浄することにより、エア同伴不良を発生させることなくアルカリ溶液の洗浄が可能になる。ライン１００とライン１０２とで挟まれた領域以外の領域のライン速度、リップ長さで洗浄するとエア同伴不良が発生する。
【００４６】
（２）ライン速度−リップ長とエア同伴との関係（リップクリアランス2〜4mm）
次に、リップクリアランス2〜4mmにおいて、ライン速度（m/min）とリップ長（mm）とを変化させたときのエア同伴不良の発生について評価を行った。
【００４７】
評価結果を図４に示す。図４は、リップクリアランスを変動させたときのライン速度−リップ長さとエア同伴不良の関係を示す図である。図４において、ライン１０２とライン１０４とは、図３と同じく、リップクリアランスが3mmの時のラインである。
【００４８】
ライン１０６とライン１０８とはリップクリアランスが2mmの時のラインであり、このラインに挟まれた領域は、リップクリアランス2mmの場合に、ビードが安定する領域であり、この領域のライン速度、リップ長さで洗浄することにより、エア同伴不良を発生させることなくアルカリ溶液の洗浄が可能になる。リップクリアランスが2mmの場合において、ライン１０６とライン１０８とで挟まれた領域以外の領域のライン速度、リップ長さで洗浄するとエア同伴不良が発生する。
【００４９】
ライン１１０とライン１１２とはリップクリアランスが4mmの時のラインであり、このラインに挟まれた領域は、リップクリアランス4mmの場合に、ビードが安定する領域であり、この領域のライン速度、リップ長さで洗浄することにより、エア同伴不良を発生させることなくアルカリ溶液の洗浄が可能になる。リップクリアランスが4mmの場合において、ライン１１０とライン１１２とで挟まれた領域以外の領域のライン速度、リップ長さで洗浄するとエア同伴不良が発生する。
【００５０】
ここで、リップクリアランスが変動することにより、エア同伴不良領域が変化する理由は、リップクリアランスが狭くなると（2mm以下）、ビード３７の気液界面部分での流速が上昇し、運動エネルギも増加するためエア同伴が発生し難くなる（エア同伴不良が発生する領域が狭くなる）からである。また、リップクリアランスが4mm以上になると、ビード３７の気液界面部分での流速が低下し、運動エネルギも減少するためエア同伴が発生しやすくなる。
【００５１】
（３）ライン速度−リップ長とエア同伴との関係（リップ角度0度〜25度）
次に、リップ角度0度〜25度において、ライン速度（m/min）とリップ長（mm）とを変化させたときのエア同伴不良の発生について評価を行った。
【００５２】
評価結果を図５に示す。図５は、リップ角度を変動させたときのライン速度−リップ長さとエア同伴不良の関係を示す図である。図５において、ライン１１４とライン１１６とは、リップ角度が0度（水平面と平行）の時のラインである。
【００５３】
ライン１１８とライン１２０とはリップ角度が15度の時のラインであり、このラインに挟まれた領域は、リップ角度が15度の場合に、ビードが安定する領域であり、この領域のライン速度、リップ長さで洗浄することにより、エア同伴不良を発生させることなくアルカリ溶液の洗浄が可能になる。リップ角度が15度の場合において、ライン１１８とライン１２０とで挟まれた領域以外の領域のライン速度、リップ長さで洗浄するとエア同伴不良が発生する。
【００５４】
ライン１２２とライン１２４とはリップ角度が25度の時のラインであり、このラインに挟まれた領域は、リップ角度が25度の場合に、ビードが安定する領域であり、この領域のライン速度、リップ長さで洗浄することにより、エア同伴不良を発生させることなくアルカリ溶液の洗浄が可能になる。リップ角度が25度の場合において、ライン１２２とライン１２４とで挟まれた領域以外の領域のライン速度、リップ長さで洗浄するとエア同伴不良が発生する。
【００５５】
ここで、リップ角度が変動するとエア同伴不良領域が変化する理由は、リップ角度が大きくなると、ビード３７内の乱流が強くなり、ビード３７気液界面部分の流速の変動が大きくなるからである。この流速の変動により、局所的、瞬間的に流速が低下すると、運動エネルギ低下が起こり、エア同伴が発生しやすくなる（エア同伴不良領域が広がる）。
【００５６】
（４）ライン速度−粘度と裏回り不良との関係（リップクリアランス2mm〜4mm）
次に、リップクリアランス2mm〜4mmにおいて、ライン速度（m/min）と粘度（cP）とを変化させたときの裏回り不良の発生について評価を行った。
【００５７】
評価結果を図６に示す。図６は、リップクリアランスを変化させたときのライン速度−粘度と裏回り不良の関係を示す図である。図６において、ライン１３０とライン１３２と、ライン１３４とは、それぞれリップクリアランスが4mm、3mm、2mmの時のラインである。
【００５８】
それぞれラインより上側の領域は、裏回り不良が発生する領域であり、ラインより下の領域（ライン上も含む）は、裏回り不良が発生しない涼気である。このラインよりも下の領域（ライン上も含む）のライン速度、第１洗浄液３４の粘度で洗浄することにより、裏回り不良を発生させず洗浄することが可能になる。
【００５９】
リップクリアランスが変化することにより裏回り不良の領域が変化する理由は、リップクリアランスが狭くなるとビード３７の液圧が上昇し、第１洗浄液３４がポリマーフィルム１２のサイドに流出する量が増えるからである。そのため、裏回り不良の領域が広がることになる。
【００６０】
逆に、リップクリアランスが広くなると、ビード３７の液圧が低下し、第１洗浄液３４がポリマーフィルム１２のサイドに流出する量が減少する。これにより、裏回り不良にならない領域が広がることになる。
【００６１】
以上説明したように、本発明者は、従来知られていなかったエア同伴不良のメカニズムと裏回り不良のメカニズムを明らかにした。これにより、リップクリアランスが広ければ裏回り不良は発生しにくいがエア同伴が発生しやすくなり、リップクリアランスが狭ければエア同伴は発生しにくいが裏回り不良が発生しやすくなるというとように、裏回り不良とエア同伴不良とはその発生を抑える方法がトレードオフの関係になることを発見した。
【００６２】
更に、本発明者は、それにもかかわらず、第１洗浄液の粘度、リップクリアランス、ライン速度、リップ長さ、リップ角度を調整することにより、裏回り不良とエア同伴不良とのどちらも発生させない条件が存在することを発見した。
【００６３】
上記において、アルカリ溶液を除去するための方法として説明したが、除去すべき洗浄対象物としてアルカリ溶液に限定するものではなく、フィルムの表面に付着したものならば、液体、固体を問わず本発明を適用することができる。
【符号の説明】
【００６４】
１０…製造ライン、１２…ポリマーフィルム、１３…アルカリ溶液、１４…ガイドロール、１６…加熱ロール、１８…アルカリ溶液塗布手段、２０…加熱手段、２４…洗浄装置、３０…バー、３２…台、３４…洗浄液、３６…吐出口、３７…ビード、３８…リップ部、３９…リップ面、４０…洗浄液、４２…ノズル、４４…吐出口、４５…排出口、４６…ブロック
【図１】
2013083824.tif 000003
【図２】
2013083824.tif 000004
【図３】
2013083824.tif 000005
【図４】
2013083824.tif 000006
【図５】
2013083824.tif 000007
【図６】
2013083824.tif 000008
【図７】
2013083824.tif 000009